(57)【要約】【課題】  ブラシモータの給電構造において、従来使用されていたピグテールを省略して構造の簡単な給電構造とすること。【解決手段】  ブラシケース６の基板１側に爪部６ａを突設すると共に、それに整合する爪孔７を基板１に形成し、基板１を爪孔７に挿通した状態で基板１の裏面１ｂで爪部６ａをブスバー５側に折り曲げて、ブスバー５と爪部６ａとを電気的に接続する。【選択図】図３
2020129886.tif 000002
【特許請求の範囲】
【請求項１】
基板（１）にモータのセグメント（１３）を挿通する円孔（３）が形成され、その基板（１）の表面（１ａ）で、前記円孔（３）の回りに放射状に複数のブラシ（４）が配置され、基板（１）の裏面（１ｂ）に給電用の平坦なブスバー（５）が配置されたブラシモータの給電構造において、
前記ブラシ（４）の外周に導電性のブラシケース（６）が被嵌され、ブラシケース（６）は基板（１）側に爪部（６ａ）が突設され、その爪部（６ａ）に整合する爪孔（７）が基板（１）に穿設され、
前記爪部（６ａ）が前記爪孔（７）に挿通された状態で、基板（１）の裏面（１ｂ）で、爪部（６ａ）が前記ブスバー（５）側に折曲げられて、ブスバー（５）と爪部（６ａ）とをカシメ部（８）により電気的に接続させると共に、そのカシメ部（８）によりブラシケース（６）を基板（１）に固定することを特徴とするブラシモータの給電構造。
【請求項２】
前記ブスバー（５）が前記裏面（１ｂ）に帯状に形成され、その帯幅に整合して一対の前記爪孔（７）および前記爪部（６ａ）間が形成された請求項１に記載のブラシモータの給電構造。
【発明の詳細な説明】
【技術分野】
【０００１】
本発明は、ブラシモータの給電構造に関する。
【背景技術】
【０００２】
従来のブラシモータの給電構造は、図６に示す如く、基板１の表面１ａの中心に円孔３が形成され、そこにモータのセグメント（整流子）が挿入される。その円孔３の周りには複数のブラシ４が配置される。また基板１の裏面にはブスバー５が配置されている。そのブスバー５の一部は、表面１ａ側から裏面側に貫通する窓孔１７に露出され、ブスバー５の露出端１５とブラシ４とがピグテール１４を介して電気的に接続されている。
即ち、ピグテール１４の両端は、ブスバー５の露出端１５及びブラシ４にハンダ付されている。そして、ブスバー５から供給された電気が露出端１５，ピグテール１４，ブラシ４を介して、同図では図示しないセグメント（整流子）に供給され、その整流子を介して極性を変化させるものである。
【先行技術文献】
【特許文献】
【０００３】
【特許文献１】特開２０１２−１３８９９４号公報
【発明の概要】
【発明が解決しようとする課題】
【０００４】
モータへの供給電力は、ブスバー５，ピグテール１４を介してブラシ４からセグメントに供給される。
このような給電構造は、ピグテール１４の両端をブスバー５の露出端１５及びブラシ４にハンダ付する手間が必要であり面倒であった。
また、ブラシ４が円孔３の中心側に出入するため、永年使用に基づき、ピグテール１４の付根部が損傷して、通電不能になる恐れがある。
さらには、ブラシ４を交換するたび毎にピグテール１４とブラシ４とを連結する必要があり、この点からも面倒であった。
そこで、本発明は係る問題点を解決することを課題とする。
【課題を解決するための手段】
【０００５】
請求項１に記載の本発明は、基板１にモータのセグメント１３を挿通する円孔３が形成され、その基板１の表面１ａで、前記円孔３の回りに放射状に複数のブラシ４が配置され、基板１の裏面１ｂに給電用の平坦なブスバー５が配置されたブラシモータの給電構造において、
前記ブラシ４の外周に導電性のブラシケース６が被嵌され、ブラシケース６は基板１側に爪部６ａが突設され、その爪部６ａに整合する爪孔７が基板１に穿設され、
前記爪部６ａが前記爪孔７に挿通された状態で、基板１の裏面１ｂで、爪部６ａが前記ブスバー５側に折曲げられて、ブスバー５と爪部６ａとをカシメ部８により電気的に接続させると共に、そのカシメ部８によりブラシケース６を基板１に固定することを特徴とするブラシモータの給電構造である。
【０００６】
請求項２に記載の本発明は、前記ブスバー５が前記裏面１ｂに帯状に形成され、その帯幅に整合して一対の前記爪孔７および前記爪部６ａの間が形成された請求項１に記載のブラシモータの給電構造である。
【発明の効果】
【０００７】
請求項１の本発明は、導電性のブラシケース６の爪部６ａを爪孔７に挿通して、基板１の裏面１ｂで、爪部６ａをブスバー５に折曲げて、そのカシメ部８でブラシケース６とブスバー５とを電気的に接続したものである。
そのため、極めて簡単な構造で、ブスバー５とブラシケース６とを電気的に接続すると同時に、ブラシケース６およびブラシ４を基板１に固定することができる。従来の給電構造のような、ピグテール、その両端の露出端１５及びブラシ４へのはんだ付けを不要とすることができる。
【０００８】
請求項２の本発明は、前記ブスバー５が裏面１ｂに帯状に形成され、その帯幅に整合して一対の前記爪孔７および爪部６ａを形成したものである。そのため、爪部６ａの折り曲げにより、ブスバー５とブラシケース６との電気的接続を確実に行える。
【図面の簡単な説明】
【０００９】
【図１】本発明のブラシモータの給電構造の要部分解斜視図。
【図２】同組立て状態を示す要部斜視図であって、基板１の表面１ａ側から見たもの。
【図３】同要部を示し、裏面１ｂから見た平面図。
【図４】本発明の給電構造の横断面図であって、図５のＩＶ−ＩＶ矢視断面図。
【図５】同構造の要部縦断面図。
【図６】従来型給電構造の要部斜視図（Ａ）、（Ａ）のＢ部拡大図（Ｂ）。
【発明を実施するための形態】
【００１０】
次に、図面に基づいて本発明の実施の形態につき説明する。
図１〜図５は、本発明の給電構造の要部を示し、図１はその基板１の表面１ａ側から見た要部分解斜視図、図２は同組立て状態を示す要部斜視図、図３は基板１の裏面１ｂ側から見た平面図であり、図４はその給電構造の要部横断面図であって、図５のＩＶ−ＩＶ矢視断面図、図５は同縦断面図である。
この給電構造は、図１及び図２に示す如く、円板状の基板１の中心に円孔３が形成されている。この円孔３は図５に示す如く、その内部に図示しないブラシモータの端部に突設されるセグメント１３（整流子）が挿通され、そのセグメント１３に複数のブラシ４を介して、給電されるものである。
その円孔３の回りには、左右一対ずつ設けられたガイド１１が、この例では放射方向に４つ配置され、それぞれにブラシケース６が着座される。各左右一対のガイド１１には、図１に示す如く、円孔３の近くに左右一対、円孔３から離れた位置に左右一対ずつの爪孔７が穿設されている。
【００１１】
各ブラシケース６は導電性の金属板を箱状に折り曲げ、その天井部と一対の両側部及びその長手方向の一方（図１、図２、図５において、円孔３から離れる位置）の端部が折り曲げられている。各ブラシケース６には、スプリング１０を介してそれぞれブラシ４が内装される。
ブラシケース６の両側部には、前述の爪孔７に整合する位置に、爪部６ａが基板１側に突設されている。つまり、円孔３の近くの側部の位置に左右一対、円孔３から離れた側部の位置に左右一対ずつの爪部６ａが突設されている。その爪部６ａがガイド１１に隣接した爪孔７に挿入される。
次いで、その爪部６ａが折り曲げられて、各ブラシケース６は、第１ブスバー５ａ，第２ブスバー５ｂと電気的に接続される。
基板１の裏面１ｂ側には、図３に示す如く、第１ブスバー５ａと第２ブスバー５ｂとを有し、それらの端が端子１２に接続されている。第１ブスバー５ａ，第２ブスバー５ｂは薄い導電性の板材であり、それが裏面１ｂの平面に平行に貼着されている。
図３に示す如く、第１ブスバー５ａと第２ブスバー５ｂは環状に配置されており、この例では、第２ブスバー５ｂが円孔３に近い側に配置されており、第１ブスバー５ａが第２ブスバー５ｂと逆回りであり、第２ブスバー５ｂと距離をあけて外側に配置される。
そして、図３において、第１ブスバー５ａにブラシケース６の一方のカシメ部８が電気的に接続され、第２ブスバー５ｂにブラシケース６の一方のカシメ部８が電気的に接続されている。
なお、この例では、各ブスバー５ａ、５ｂは帯状に形成されており、その帯幅に整合するように、一対の爪孔７及び爪部６ａが形成されている。
【００１２】
また、図１において他方の爪部６ａは、図３に示す如く、その補助カシメ部９として、ブラシケース６を基板１の裏面１ｂにカシメ固定している。
即ち、図１においては、ブラシケース６の前側（円孔３の近くの側）の一対の爪部６ａが補助カシメ部９を構成し、後ろ側の一対の爪部６ａがカシメ部８を形成する。
補助カシメ部９は、ブラシケース６を基板１に固定する機能を有し、カシメ部８はブラシケース６と第１ブスバー５ａとを電気的に接続する機能を有する。つまり、ブラシケース６には、どちらかのブスバーと電気的に接続される爪部６ａと、どちらのブスバーにも接続されずに基板１に固定される爪部６ａとが形成される。このように、本発明は、ブラシケース６の各爪部６ａのカシメにより、各ブスバーとブラシ４との電気的接続を行うと共に、基板１とブラシケースとの固定を行う。
なお、一対のブスバー５ａ、５ｂの形状や配置は、図３の例に限定されるものではない。ブスバーとの接続条件を考慮し、ガイド１１及びブラシケース６の配置間隔、ブラシケース６の爪部６ａの間隔、爪部６ａの突出長さ等を変更することができる。
【符号の説明】
【００１３】
１  基板
１ａ  表面
１ｂ  裏面
３  円孔
４  ブラシ
５  ブスバー
５ａ  第１ブスバー
５ｂ  第２ブスバー
６  ブラシケース
６ａ  爪部
【００１４】
７  爪孔
８  カシメ部
９  補助カシメ部
１０  スプリング
１１  ガイド
１２  端子
１３  セグメント
１４  ピグテール
１５  露出端
１７  窓孔
【図１】
2020129886.tif 000003
【図２】
2020129886.tif 000004
【図３】
2020129886.tif 000005
【図４】
2020129886.tif 000006
【図５】
2020129886.tif 000007
【図６】
2020129886.tif 000008